(57)【要約】【課題】本発明は、射出成型プラスチックの外部シェルを有するスポーツシューズを提供する。【解決手段】このスポーツシューズは、足部を収容する前足部シェル４と、ユーザーの脚の下側部分を安定させる隣接するシューズカフ５と、を有し、相対的に柔軟な内部シューズ３が、シェル２の内部に少なくとも部分的に収容されている。外部シェル２には、圧縮応力を受けた際に、内部シューズ３によってユーザーの足の上に生じる圧力点を低減する手段として設けられる少なくとも１つの弾性的に柔軟な部分１０が配設される。弾性的に柔軟な部分１０は、緩み又はシェル２の周辺部分に対する撓みにより、シェル２が収容可能である容積又は幅を圧縮応力の関数として変化するように設けられた少なくとも１つのメンブレイン要素１１を備える。【選択図】図１
2011000445.tif 000002
【特許請求の範囲】
【請求項１】
射出成型プラスチックの外部シェル（２）を有するスポーツシューズ（１）であって、
足の前側部分を収容する前足部シェル（４）と、
ユーザーの脚の下側部分を安定させる隣接するシューズカフ（５）と、を有し、
相対的に柔軟な内部シューズ（３）がシェル（２）の内部に少なくとも部分的に収容され、且つ、圧縮応力を受けた際にユーザーの足の上に生じる内部シューズ（３）による圧力点を、低減する手段として設けられる少なくとも１つの弾性的に柔軟な部分（１０）が外部シェル（２）に備わり、
弾性的に柔軟な部分（１０）が、緩み又はシェル（２）の周囲部分に対する撓みにより、シェル（２）が収容可能である容積又は幅を圧縮負荷の関数として変化するように設けられた少なくとも１つのメンブレイン要素（１１）の形態で備わることを特徴とするスポーツシューズ。
【請求項２】
メンブレイン要素（１１）は、メンブレインスキン（１２）と、メンブレインスキン（１２）用の支持本体（１４）と、を有することを特徴とする請求項１記載のスポーツシューズ。
【請求項３】
支持本体（１４）はフレーム型であり、メンブレインスキン（１２）は支持本体（１４）のフレーム部分（１５、１６）の間に延長することを特徴とする請求項２記載のスポーツシューズ。
【請求項４】
メンブレインスキン（１２）は、支持本体（１４）のフレーム部分（１５、１６）の間において緩んで延長すると共に／又は弾性的に伸張可能であることを特徴とする請求項３記載のスポーツシューズ。
【請求項５】
メンブレインスキン（１２）は、少なくとも１つの伸張襞（１７）を具備し、伸張襞を利用して、メンブレインスキン（１２）は、支持本体（１４）との関係において動くことができるように取り付けられることを特徴とする請求項２記載のスポーツシューズ。
【請求項６】
メンブレインスキン（１２）は、断面視、上反るか又は波打って、支持本体（１４）の対向して配置されたフレーム部分（１５、１６）に取り付けられ、メンブレインスキン（１２）の伸張時の長さは、対向して配置されたフレーム部分（１５、１６）の間のクリアランス幅（２１）を上回ることを特徴とする請求項２記載のスポーツシューズ。
【請求項７】
少なくとも１つのフレーム部分（１５、１６）上には、メンブレインスキン（１２）用の少なくとも１つの支持要素（２３、２４）が備わり、支持要素は、支持本体（１４）との関係におけるメンブレインスキン（１２）の動きに対する弾性的に柔軟な抵抗力を提供し、及び／又はメンブレインスキン（１２）の変位距離（２０）を制限するための抵抗力を提供することを特徴とする請求項３記載のスポーツシューズ。
【請求項８】
少なくとも１つの支持要素（２３、２４）は、対向して配置されたフレーム部分（１５、１６）の間に連続的に延長するか、又は支持本体（１４）の中央領域に向かう方向において舌状パターン又は指状パターンで少なくとも１つのフレーム部分（１５、１６）から外に延長することを特徴とする請求項７記載のスポーツシューズ。
【請求項９】
メンブレインスキン（１２）は、天然又は人工糸から製造された織物（２５）の形態で備わることを特徴とする請求項２記載のスポーツシューズ。
【請求項１０】
メンブレインスキン（１２）は、ガス不透過性及び／又は液体不透過性のコーティング（２６）を有することを特徴とする請求項２記載のスポーツシューズ。
【請求項１１】
コーティング（２６）は、樹脂であり、フレーム部分（１５、１６）に対向する平坦な面（２７）上に配設されるか、又は少なくとも１つの舌状又は繊維状の支持要素（２３、２４）に最も近接して位置するメンブレインスキン（１２）の平坦な面（２７）に適用されることを特徴とする請求項１０記載のスポーツシューズ。
【請求項１２】
メンブレインスキン（１２）は、薄膜であり、樹脂射出成型プロセスによって支持本体（１４）に接着接合される少なくとも１つの樹脂又は繊維層によって形成されることを特徴とする請求項２記載のスポーツシューズ。
【請求項１３】
支持本体（１４）は、メンブレインスキン（１２）の平坦な面（２７）上に射出されることを特徴とする請求項１２記載のスポーツシューズ。
【請求項１４】
メンブレインスキン（１２）は、シーリングメンブレインの形態で備わり、樹脂、特にエラストマーの弾性的に伸張可能且つ反発性の層であることを特徴とする請求項２記載のスポーツシューズ。
【請求項１５】
メンブレイン要素（１１）は、シェル（２）の対応する開口部（１９）の周りの周辺部分に接合するための少なくとも１つのフランジ状の周辺部分（２８）を具備することを特徴とする請求項１記載のスポーツシューズ。
【請求項１６】
メンブレイン要素（１１）は、既製の構成要素であり、既製の構成要素は、樹脂からスポーツシューズ（１）を製造するプロセスにおいて、シェル（２）の樹脂の特定部分の周りに射出されることを特徴とする請求項１記載のスポーツシューズ。
【請求項１７】
メンブレイン要素（１１）は、細長く、特に楕円又は卵形を有し、中足骨又はつま先の骨の基部の領域内及び／又はくるぶし又はくるぶしの関節の領域内において、シェル（２）の内側及び／又は外側に配設されることを特徴とする請求項１記載のスポーツシューズ。
【発明の詳細な説明】
【技術分野】
【０００１】
本発明は、射出成型プラスチックの外部シェルを有するスポーツシューズに関する。
【背景技術】
【０００２】
特許文献１には、プラスチックのシェルと、比較的柔らかい内部シューズと、を有する一般的なタイプのスポーツシューズ、具体的には、スキー又はスケートシューズが開示されている。この例においては、シェルは、シェルの残りの部分よりも柔らかい少なくとも１つの領域を具備する。この柔らかい領域は、シェルの外面及び／又は内面上の相対的に柔軟な領域であり、且つ、シェル内に挿入された足の中足指節関節の前面に提供される。第１実施例によれば、シェルは、硬さが異なる２つのプラスチックから製造される。相対的に硬いプラスチックがシェルの外側に使用されており、且つ、この硬いプラスチックの切り抜きにより、柔軟な領域が定義され、この柔軟な領域は、シェルの内部において相対的に柔らかいプラスチックによって閉鎖されている。これらの硬さ又は剛性が異なる２つのプラスチックは、デュアル射出成型プロセスにおいて一体型のシェル本体に接合される。第２実施例によれば、この場合にも、シェルの切り抜きにより、スポーツシューズの柔軟な領域が定義されているが、内部シューズは、プラスチック要素をその外側に具備し、このプラスチック要素は、シェルよりも柔らかく、且つ、切り抜きを閉鎖するように配設される。柔らかい領域の柔軟性は、足の中足指節関節の圧力下にある際に、この領域がわずかに変形可能なように選択されており、これにより、この足の関節に対する圧力を低減し、且つ、可能な限り、この地点における痛みを防止している。第１実施例は、製造技術の観点において問題を有しており、且つ、入手可能な弾性又は柔軟性の程度が満足のゆくものではない。第２実施例は、主に、シェルのシーリング及びシューズ内への湿気の侵入防止の保証という観点において問題を有する。
【０００３】
特許文献２は、相対的に硬いシェルを有するスポーツシューズを開示している。ユーザーの快適さを向上させるべく、このスポーツシューズは、外部シェルに複数の窓又は切り抜きを具備しており、これらは、骨及び中足と隣接するように、シューズの外側及び／又は内側に配置される。これらのシェルの開口部又は切り抜きには、シェルの外部表面から延長するクッションが重なっている。このクッションは、異なるプラスチック材料から構成された多層部品から構成されており、且つ、ある種のサンドイッチ構造が生成されるように、シェルの外部表面に固定される。硬く且つ耐衝撃性を有する材料から製造されたシューズシェルの別個の構成要素が、相対的に柔軟なクッション要素の周辺エッジ部分用の外部に位置する保護プレートを定義している。具体的には、柔軟なクッションには、相対的に硬い保護プレートが部分的に重なっており、且つ、シューズシェルの開口部をカバーするクッションの部分は、保護プレートによって露出状態で残されている。また、柔軟なクッションは、保護プレートにより、シューズシェルの外側に装着されている。保護プレート及び柔軟なクッションは、倍数だけ（by a multiple）、シェルの切り抜き又は開口部よりも大きい。別の実施例の場合には、このサンドイッチタイプのクッションに加えて、シューズ内への水や雪の浸透を防止するべく、水不浸透性の材料から製造されたシーリング要素が提供される。このシーリング要素は、シェルの外部表面上に装着され、且つ、シェルの個々の切り抜きをカバーしている。そして、このシーリング要素には、前述のクッション要素が重なっている。この既知の設計も、製造が相対的に複雑であり、製造コストが結果的に上昇する。更には、圧縮可能なクッション要素が、表面における損傷又は破損の相対的に大きなリスクに晒されており、この結果、スポーツシューズのシーリングの保持に関連する問題が生じる可能性がある。
【先行技術文献】
【特許文献】
【０００４】
【特許文献１】欧州特許出願第ＥＰ０，８９４，４４５Ａ１号明細書
【特許文献２】欧州特許出願第ＥＰ１，５７１，９３９Ａ１号明細書
【発明の概要】
【発明が解決しようとする課題】
【０００５】
本発明の基礎をなす目的は、相対的に大きな快適さをユーザーに提供し、且つ、信頼性の高い長期にわたるシーリングを提供して望ましくない湿気の浸透を防止し、それでいて、可能な最低コストによって製造可能となるように、一般的なタイプのスポーツシューズを改善することにある。
【課題を解決するための手段】
【０００６】
この目的は、本発明によれば、請求項１に定義されている特徴を内蔵するスポーツシューズによって実現される。
【０００７】
本発明によって提案されるスポーツシューズの１つの利点は、圧縮可能なクッション要素ではなく、メンブレイン要素を備え、このメンブレイン要素は、シューズの相対的に硬い部分に対して動くことができるため、個々のユーザーの足の上の不快な圧力点を除去又は低減する。従って、シェル本体のみを製造することにより、複数の異なる生理的な足の形状を許容可能である。相対的に小さな範囲のシェル形状により、相対的に大きな範囲の様々な足の形状又は足の幅を許容可能であるため、これにより、製造コストが低く維持される。以上の内容とは無関係に、足は、その使用に伴って、特に、一日の終わりに近づくほど、徐々に幅が広くなり、従って、本発明によって提案されるスポーツシューズは、長時間の使用の後にも、相対的に高度な快適さをユーザーに提供可能であることが判明した。更なる特定の利点は、特許請求されている思想は、製造、特に、製造プロセスの単純化の観点における利点をも提供しつつ、可能な最高の製造品質を保証する。また、信頼性の高いシーリングを得ることが可能であり、これにより、望ましくない雪又は液体の浸透が防止される。更には、相対的に柔らかく且つ横方向に撓むことができるメンブレイン要素は、相対的に硬いシェル本体に余分な大きな重量を付加しないのみならず、スポーツシューズの外部シェルの弾性的に柔軟な部分の重量をも低減するため、スポーツシューズの全体重量を可能な限り低く維持することが可能である。
【０００８】
請求項２に定義されている実施例の利点は、メンブレインスキンが、その具備する特性に起因して相対的に緩く撓む又は曲がることが可能であり、且つ、特定の力を必要とすることなしに柔軟なメンブレインスキンは、支持本体と共に、正しい非動作位置又は定義された初期位置をとるという点にある。更には、例えば、薄膜の形態において提供可能である柔軟なメンブレインスキンは、支持本体により、その最大撓みが制限され、又は、過剰な応力から保護される。又、メンブレインスキン及びメンブレインスキン用の少なくとも１つの支持本体を有する対応するメンブレイン要素は、結果的に得られることになるスポーツシューズ用の既製の構成要素によって定められるため、製造プロセスが単純化される。
【０００９】
メンブレインは、請求項３に定義されている特徴の結果として、特に効果的な機能を提供する。具体的には、これらは、支持本体との関係における且つシューズシェルとの関係におけるメンブレインスキンの相対的に容易な調節を結果的にもたらす。更には、ユーザーの足の生理学的に重要な地点における不快な圧力点の発生を伴うことなしに、シューズシェルが収容可能である容積又は幅を変化させるための好適な調節レンジが単純な方式によって得られる。
【００１０】
また、請求項４に定義されている特徴は、相対的に容易に調節可能である設計を結果的にもたらし、これにより、圧力点が可能な限り回避又は低減される。それでいて、メンブレインスキンを周辺領域の周りに延長する支持本体に対して十分堅固に装着するか又はこの上部に保持してメンブレインスキンの剥がれや緩みを防止可能であるため、これらの規定された設計は、十分に安定している。
【００１１】
請求項５又は６に定義されている特徴の結果として、メンブレインスキンは、定義された方式により、シューズシェルとの関係において動くことができる。更には、メンブレインスキンの材料に印加される応力は、可能な限り低く維持可能であり、この結果、安定し且つ液体不透過性を有する状態を長期にわたって保持するメンブレイン要素が得られる。具体的には、標準製品寿命の間に材料が疲労及び断裂する可能性を実質的に排除可能である。
【００１２】
更なる特定の利点は、請求項７に定義されている別の実施例にあり、相対的に緩んだメンブレインスキンが、定義された初期の形状又は予め定義された非使用状態をとることを保証する単純な方法を提供する。更には、弾性的に柔軟な抵抗力を支援又は生成することにより、メンブレインスキンの調節運動に対抗すると共に、メンブレインスキンを予め定義された初期又は非使用形状に回復させることも可能である。或いは、この代わりに、又はこれとの組合せにおいて、ある種の停止要素を選択することにより、最大調節を単純な方式によって制限し、これにより、メンブレインスキンに対する応力を防止又は低減することも可能である。
【００１３】
請求項８に定義されている更なる特徴は、メンブレインスキンの弾性的に柔軟な適応性及び復元性に貢献している。少なくとも１つの支持要素は、外部の力を受けたときに、メンブレインスキンに対する損傷のリスクを低減するため、メンブレイン要素の安定性を向上させることも可能である。
【００１４】
更なる利点は、請求項９に定義されている実施例であり、このタイプのメンブレインスキンは、その形状の観点において高度な柔軟性を具備すると共に、大きな機械的応力に耐える能力をも有する。具体的には、負荷を受けたとき、且つ、メンブレインの空間的な必須の伸張に関して、このようなメンブレインスキンの断裂又は過剰な伸張のリスクは、最小限であるか又は無視可能である。更には、これらの特徴の結果として良好な断熱効果が得られ、この結果、低温においても、足のための快適な環境をスポーツシューズ内において生成可能である。
【００１５】
請求項１０に定義されている実施例は有利であり、この理由は、例えば、薄膜状などの相対的に薄いメンブレインスキンの選択にも拘わらず、例えば、雪又は湿気が存在する場合などの厳しい周辺条件下においても、足のための快適であって、且つ、特に、乾いた環境を保証可能であるためである。
【００１６】
請求項１１に定義されている実施例の結果として、プラスチックによってコーティングされたメンブレインスキンと、同様にプラスチックから製造されたメンブレインスキン用の支持本体は、断裂しない相対的に堅固な接合を結果的にもたらす。具体的には、メンブレインスキン上のプラスチックコーティングとプラスチックから製造された支持本体の間において、堅固な接着接合又は融合を得ることが可能である。
【００１７】
請求項１２又は１３に規定されている特徴により、メンブレイン要素を単純且つ廉価な製造技法によって製造可能である。又、メンブレインスキンは、この場合にも、支持本体に対して結合されるため、これらの特徴の結果として、メンブレインスキンとメンブレイン要素の支持本体の間に、特に耐断裂性に優れ且つ堅固な接続が得られる。
【００１８】
請求項１４に定義されている実施例によれば、材料の弾性的伸張特性、換言すれば、伸展性を使用することにより、シューズシェルの幅又は容積の対応する変化を得ている。更には、プラスチック、特に、エラストマーに固有のシーリング特性に起因してシーリング機能が得られるため、結果的に、メンブレインスキンの厳密なシーリングが実現される。
【００１９】
請求項１５に定義されている特徴の結果として、メンブレイン要素とシューズシェルの間に、安定した接続が得られる。また、製造が単純化される。更には、メンブレイン要素が、シェルの外部表面と同一平面上にあるシェルの対応する開口部内に挿入され、且つ、開口部の周りのシェルリングの外部表面上に重ならないか又はこれに装着されない場合に、メンブレイン要素とシェルの間のシーリングを保証することも可能である。
【００２０】
請求項１６に定義されているように、メンブレイン要素は、下流のプロセスにおいて別個に予め製造され、且つ、この結果、シューズシェルを製造するべく使用されるプラスチック射出成型プロセスにおけるシューズシェルの既製の構成要素を定義しているため、特許請求されたスポーツシューズの製造に使用される製造プロセスが単純化される。更には、メンブレイン要素の周囲部分とスポーツシューズの実際のシェル本体に隣接する遷移又は周辺部分の間に、信頼性の高いシーリングが得られる。
【００２１】
最後に、請求項１７に定義されている特徴も有利であり、特定の状況下においてユーザーの足に圧力が加わる可能性のあるスポーツシューズの地点において、基本的に堅いプラスチックシェルの幅又は容積をある程度変化させることが可能であり、且つ、この容積の変化により、異なる足の形状又は突出した骨を有する複数のユーザーに対応可能である。メンブレイン要素の楕円又は卵形の周囲の輪郭に起因し、これらの変形ゾーンは、容積又は幅の変化が実際に有利である部分に制限されており、スポーツシューズの残りの部分は、ユーザーの足から、例えば、スキー、ローラー本体、又はランナーなどのスポーツ装置に力を効率的に伝達できるようにするべく、十分に堅く且つ曲がりにくい状態に維持されている。
【００２２】
以下、更に明瞭に理解できるように、添付の図面を参照し、本発明について更に詳細に説明することとする。
【図面の簡単な説明】
【００２３】
【図１】スポーツシューズ、具体的には、アルペンスキーシューズであり、前足部シェルが圧縮応力の関数として変化できるようにする少なくとも１つのメンブレイン要素を有する。
【図２】スポーツシューズの別の実施例であり、前足部シェルの内面上に配設された少なくとも１つの異なる設計のメンブレイン要素を有する。
【図３】圧力点を低減するスポーツシューズ用のメンブレイン要素の別の実施例であり、射出成型プラスチックの相対的に堅い外部シェルを有する。
【図４】図３に示されているＩＶ−ＩＶ線に沿った断面において観察した図３に示されているメンブレイン要素であり、スポーツシューズのシェル部分が破線によって示されている。
【図５】スポーツシューズのシェル部分内に嵌め込まれたメンブレイン要素の別の実施例を断面において示す概略図である。
【図６】堅いシェルを有するスポーツシューズ用のメンブレイン要素の別の実施例を断面において示す図である。
【図７】スポーツシューズの外部プラスチックシェルの１つの構成要素を構成する圧力点を低減するメンブレイン要素の別の実施例を示す概略断面である。
【発明を実施するための形態】
【００２４】
まず、様々な実施例に記述されている同一の部分は、同一の参照符号及び同一の構成要素名によって表記され、且つ、以下の説明によって実行される開示は、同一の参照符号又は同一の構成要素名を有する同一部分に対する意味の観点において置換可能であることに留意されたい。更には、最上部、底部、側部などの説明を目的として選択される位置は、具体的な説明対象の図面に関係するものであり、従って、別の位置を説明する際には、新しい位置に対する意味の観点において置換可能である。図示及び説明対象の様々な実施例における個々の特徴又は特徴の組合せは、独立した本発明のソリューションとして、又は独自に本発明によって提案されたソリューションとして解釈可能である。
【００２５】
図１は、射出成形された相対的に堅いプラスチックの外部シェル２と、外部シェル２の内部に少なくとも部分的に収容された相対的に柔軟な内部シューズ３と、を有する一般的なタイプのスポーツシューズの実施例１を示す。このスポーツシューズ１は、ハイシューズ又はブーツとして設計されている。これは、足の部分を収容するための前足部シェル４と、ユーザーのすね又は脚の下側部分を安定させるための隣接するシューズカフ５と、を有する。通常、スポーツシューズ１は、アルペンスキーブーツ又はツアスキーシューズであり、且つ、一般的には、既知の方式において前足部シェル４とシューズカフ５の間に接続部６を具備し、この接続部の軸は、スポーツシューズ１の内部に挿入される足のくるぶし又はくるぶしの関節と基本的に平行に延長する。但し、ローラースケートシューズ、或いは、インラインスケート又はアイススケートシューズも、相対的に硬く且つ曲がりにくい外部シェルと、快適さ及び性能を改善するべくその内部に少なくとも部分的に収容される内部シューズと、を具備する。
【００２６】
一方においては、足をスポーツシューズ１内において堅固に保持することができるようにするべく、且つ、他方においては、スポーツシューズ１の内部への且つこれから外部への足の出し入れを容易にするべく、例えば、少なくとも１つのバックル８及び／又は少なくとも１つのストラップ９によるものなどの少なくとも１つの引張手段７により、その容積を個別に変更及び適合可能である。内部シューズ３が、主に、可能な限り快適に足を包み込むべく設計されているのに対して、外部シェル２は、相対的に硬く且つ曲がりにくいプラスチックから製造されており、且つ、直接的に、そして、ユーザーの足と下の地面又はスポーツ装置の間における可能な限り小さな遅延を伴って、力を伝達するという機能を果たしている。ユーザーの足の上における圧力点を回避するために、シェル２、内部シューズ３、及び足の間における最適な設計を得るべく努力することが必要である。しかしながら、それでもなお、不快な圧力点が、一方においては、不十分なフィットと、他方においては、個々に変化する足の形状と、に起因し、ユーザーの足の上に生じることになる。具体的には、中足骨及びつま先の基部の領域内における骨の突出及び／又はくるぶしの関節の領域内における骨の突出に起因し、不快な圧力がユーザーの足に印加される可能性がある。更には、足の形状は、長時間にわたる応力の作用に伴い、特に、一日の終わりが近づくにつれて、変化し、且つ、通常は、その幅が広くなり、これも、不快な感じに結び付く可能性があることが判明した。
【００２７】
１つのシェル形状のみを使用して複数の個々の足の形状を快適に収容することができるようにするべく、形状が変化しない本質的に硬い外部シェル２に、少なくとも１つの弾性的に柔軟な部分１０を具備した一般的なスポーツシューズ１を開発した。外部シェル２のこの少なくとも１つの弾性的に柔軟な部分１０は、潜在的な圧力点が発生する可能性がある位置に設けられる。具体的には、弾性的な部分１０は、前足部シェル４の外側（図１）及び／又は内側（図２）において、好適には、中足指節関節と同じ高さに、配設される。或いは、この代わりに、又はこれとの組合せにおいて、弾性的に柔軟な部分１０は、前足部シェル４の甲の領域内（図１又は図２に破線によって示されている部分）に、並びに／或いは、くるぶし又はくるぶしの関節に隣接するようにシューズカフ５内に、提供することも可能である。
【００２８】
外部シェル２の弾性的に柔軟な部分１０は、圧力を受けた際に内部シューズ３によってユーザーの足の上に生じる不快な圧力点を低減又は防止するように設計されている。外部シェル２の弾性的に柔軟な部分１０は、少なくとも１つのメンブレイン要素１１の形態において提供されることが特に実際的に有利である。このメンブレイン要素１１は、シェル２、具体的には、前足部シェル４及び／又はシューズカフ５の境界又は壁の部分を定義している。図１に一例として示されている実施例においては、このメンブレイン要素１１は、前足部シェル４の外側の側壁上の弾性的に柔軟な部分である。図２に一例として示されている実施例においては、類似の設計のメンブレイン要素１１が、スポーツシューズ１、具体的には、スキーシューズの前足部シェル４の内側に配設されている。
【００２９】
この少なくとも１つのメンブレイン要素１１は、シェル２よりも格段に大きな緩みを有し、且つ、メンブレイン要素１１は、シェル２のものよりも格段に大きな柔軟性及び形状を変更する能力を有しており、これは、メンブレイン要素１１が、シェル２との関係において容易に撓むことができることを意味している。通常では、約３ｍｍ、最大では６ｍｍだけ撓む又は動く能力は、長時間にわたって応力が作用した際に発生する足及び足の前部の変形及び幅の増大を効率的に許容するのに十分なものである。従って、メンブレイン要素１１は、シェル２が収容可能である容積及び幅を圧縮応力の関数として変化させる手段として設けられている。発生する圧縮応力は、内部シューズ３又はユーザーの足からメンブレイン要素１１に対して伝達される。これは、本発明によって提案されるスポーツシューズ１の場合には、徐々に増大する足の幅及び複数の個々に変化する足の幅及び足の形状を許容可能であることを意味している。
【００３０】
図１及び図２と関連し、それぞれ、図３及び図４において最良に観察することができるように、メンブレイン要素１１は、少なくとも１つのメンブレインスキン１２を有し、このメンブレインスキンが、スポーツシューズ１の部分１０内における弾性的な撓みに関して応答することができる。このメンブレインスキン１２は、シェル２のプラスチックと比較して相対的に緩く、且つ、相対的に容易に撓み且つ変形可能である。
【００３１】
高度な柔軟性及び形状を変化させる高度な能力を有するメンブレインスキン１２は、薄膜又は布を選択することによって実現可能である。メンブレインスキン１２の厚さ１３は、通常、１ｍｍ未満である。布又は繊維状のメンブレインスキン１２の場合には、その厚さ１３は、０．５ｍｍ未満であってよく、この場合に、メンブレインスキン１２は、断裂に対する十分な抵抗力を具備しつつ、高度な柔軟性及び形状を変化させる能力を具備する。
【００３２】
本質的に柔らかく且つ相対的に緩いメンブレインスキン１２には、好ましくは、支持本体１４が設けられており、この支持本体は、メンブレインスキン１２を保持し、且つ、メンブレインスキン１２用の定められた当初の又は非動作状態の形状を定義する。この観点においては、支持本体１４がフレーム状の設計を有し、且つ、メンブレインスキン１２が、支持本体１４の外側の又は外部に延長するフレーム部分１５、１６の間に少なくとも延長することが実際的に有利である。これは、メンブレインスキン１２が、好ましくは、フレーム状の支持本体上において保持され、且つ、支持本体１４の外部延長フレーム部分１５、１６に対してメンブレイン状の構成において装着されることを意味する。メンブレインスキン１２は、張力が印加された状態において支持本体１４上に配設可能であり、或いは、この代わりに、相対的に緩んだ構成において、即ち、固有の張力印加を伴うことなしに、支持本体１４に、具体的には、そのフレーム部分１５、１６に固定することも可能である。換言すれば、メンブレインスキン１２は、相対的に緩んだ構成において、具体的には、支持本体１４の外部フレーム部分１５、１６の間に余分な材料が存在する状態において、延長すると共に／又は、弾性的に伸張可能である。従って、緩みと弾性的な伸張能力の組合せを有するメンブレインスキン１２を選定可能である。具体的には、メンブレインスキン１２の動きの初期段階においては、長さ方向又は幅方向において緩み又は余分な材料を使用可能であり、且つ、メンブレイン１２の動き２０の後続する段階においては、メンブレインスキン１２の材料の弾性を使用してスポーツシューズ１の内部の可変な幅又は容積を得ることが可能である。
【００３３】
それぞれ、図５及び図６に示されている有利な一実施例の場合には、メンブレインスキン１２は、少なくとも１つの伸張襞１７を具備し、この伸張襞により、メンブレインスキン１２は、支持本体１４及びシェル１２との関係において動くことができるように、装着される。又、メンブレインスキン１２用の支持本体１４は、図５において観察することができるように、シェル２と一体の部分であってもよい。具体的には、支持本体１４は、周辺部分１８、具体的には、メンブレイン要素１１と本質的に合致するシェル２の開口部１９の周りを周方向に延長する周辺部分１８の形態において提供可能である。
【００３４】
断面において観察した際に、上反りする（図５）又は波打つ（図６）ように、メンブレインスキン１２を支持本体１４の対向して配置されたフレーム部分１５、１６又はシェル２に対して固定した場合に、メンブレインスキン１２又はメンブレイン要素１１の十分な変位距離２０を適切に実現可能である。換言すれば、この形状又は余分な材料の長さは、メンブレインスキン１２の伸張時の長さが、対向して配置されたフレーム部分１５、１６の間又はシェル２の開口部１９の対向して配置された境界エッジ２２の間のクリアランス幅２１を上回っていることを意味している。具体的には、メンブレインスキン１２内に少なくとも１つの上反り部分又は少なくとも１つの伸張襞１７を提供することにより、メンブレインスキン１２が、メンブレインスキン１２に大きな応力を作用させることなしに、具体的には、メンブレインスキン１２を弾性的に伸張させることなしに、シェル２との関係において、即ち、一体型の又は構造的に別個の支持本体１４との関係において、非常に容易に動くことができる。
【００３５】
別の有利な実施例によれば、少なくとも１つのフレーム部分１５、１６上に、メンブレインスキン１２用の少なくとも１つの支持要素２３、２４が備わる。この少なくとも１つの支持要素２３、２４は、支持本体１４との関係における又はシェル２との関係におけるメンブレインスキン１２の動きに対抗するための弾性的に柔軟な抵抗力を提供しており、且つ、少なくとも１つの支持要素２３がメンブレイン要素１１又はメンブレインスキン１２の変位距離２０を制限する。図３及び図４に示されている実施例の場合には、少なくとも１つの支持要素２３、２４は、図示されている初期の又は非動作状態の位置に既にあってメンブレインスキン１２を支持しており、且つ、従って、少なくとも１つの支持要素２３、２４がメンブレインスキン１２の変位距離２０内において弾性的に柔軟な抵抗力を提供する。これとは対照的に、図５に示されている実施例の少なくとも１つの支持要素２３、２４は、外側に撓むその能力が制限されるように、メンブレインスキン１２又はメンブレイン要素１１の変位距離を制限している。これは、メンブレインスキン１２及びメンブレイン要素１１の全体が過剰な歪又は損傷を経験することを確実に防止する。又、メンブレインスキン１２との関係における少なくとも１つの支持要素２３、２４の停止−制限の効果及び弾性支持の効果の組合せを選択することも可能であろう。
【００３６】
少なくとも１つの支持要素２３、２４は、一例として、図２に概略的に示されているように、メンブレイン要素１１の対向して配置されたフレーム部分１５、１６の間に連続的に延長可能である。支持本体１４との関連における個々の支持要素２３、２４は、格子状又はグリル状の構造を定義しており、この構造は、支持を提供し、且つ、従って、一方においては、メンブレインスキン１２の過剰な歪を防止し、且つ、他方においては、スポーツシューズ１が外部圧力又は衝撃力に起因して尖った又は鋭い物体に接触した際にメンブレインスキン１２が損傷するリスクを小さくする。
【００３７】
また、メンブレインスキン１２用の少なくとも１つの支持要素２３、２４は、支持本体１４の少なくとも１つのフレーム部分１５、１６から又はメンブレイン要素１１の周辺部分１８から、舌状又は指状の形態において、中央領域に向かう方向に又はメンブレインスキン１２又は支持本体１４の中央に向かう方向に、延長するように、設計可能である。舌状又は指状の設計に基づいたメンブレインスキン用の支持要素２３、２４が、一例として図３に示されており、図５には、繊維状又はフランジ状の支持要素２３、２４が、シェルの開口部の周り又はメンブレイン要素１１用の開口部１９の周りに配設されており、且つ、これらは、過剰な歪又は有害な大きな変位距離２０を防止する停止規制部を主に定義している。
【００３８】
メンブレインスキン１２は、押し出し又は射出成型された層であってよく、且つ、熱変形可能な又はエラストマープラスチックから製造可能である。任意選択により、メンブレインスキン１２は、補強層又は網、格子、並びに／或いは、その他の補強手段を内蔵することも可能である。
【００３９】
有利な一実施例によれば、メンブレインスキン１２は、天然又は人工糸、或いは、天然及び人工糸の組合せから製造された織物２５の形態で設けられる。従って、織物２５は、一方においては、高度な柔軟性と、そして、他方においては、断裂に対する大きな抵抗力を得るべく、プラスチック糸及び／又はカーボンファイバを内蔵可能である。図７において最良に観察することができるように、メンブレインスキン１２、具体的には、対応する織物２５には、ガス不透過性及び／又は液体不透過性のコーティング２６が設けられる。このコーティング２６は、メンブレインスキン１２又は織物２５の少なくとも１つの平坦な面２７上に、熱変形可能又はエラストマープラスチックから製造可能である。コーティング２６は、一方においては、外部からの湿気の侵入を防止するべくシューズの内部をシーリングしている。このタイプのスポーツシューズ１は、しばしば、雪又は濡れた状態において使用されるため、このガス不透過性又は液体不透過性のコーティング２６は、織物２５の形態で備わるメンブレインスキン１２の場合には、特に実用的である。
【００４０】
熱変形可能なプラスチックのコーティング２６を備え、且つ、これを支持本体１４又はフレーム部分１５、１６と対向するメンブレインスキン１２の平坦な面２７に適用することが、特に実際的に有利である。同様に、プラスチックのコーティング２６は、舌状又は繊維状の支持要素２３、２４に最も近接して位置したメンブレインスキン１２の平坦な面２７に対して適用することが実際的に有利である。コーティング２６は、織物のメンブレインスキン１２の少なくとも１つの平坦な面２７のその表面全体にわたって噴霧又はコーティングすることにより、適用可能である。メンブレインスキン１２のシーリング機能の改善に加えて、メンブレインスキン１２とメンブレインスキン１２用のプラスチックの支持本体１４の間における改善された接合を得ることも可能である。具体的には、プラスチック射出成型プロセスにより、メンブレインスキン１２及び支持本体１４を互いに接着接合可能であり、この場合には、プラスチックコーティング２６により、メンブレインスキン１２の少なくとも１つの平坦な面２７上において、これらの要素の間における特に堅固であって且つ断裂抵抗力を有する接合が生成される。この結果、プラスチック射出成型プロセスにより、適切に薄いメンブレインスキン１２上に、任意選択により、少なくとも１つの繊維状又は指状の支持要素２３、２４と共に、フレーム状の支持本体１４を射出成型するための極めて簡単な方法が得られる。プラスチックコーティング２６と、支持本体１４又は支持要素２３、２４のプラスチックは、少なくとも部分的に互いに溶け合い、これらのプラスチックの溶解を引き起こし、これにより、メンブレイン要素１１の安定性を更に増大させる。プラスチック射出成型プロセスにより、コーティングされたメンブレインスキン１２並びに支持本体１４及びその支持要素２３、２４が、いわば、互いに接続される。
【００４１】
また、少なくとも１つの支持要素２３、２４が、舌状パターン又は指状パターンにおいて、コーティング済みのメンブレインスキン１２の中央領域に向かう方向に延長している場合には、更なる安定性を実現可能である。これは、具体的には、図７において最良に観察することができるように、メンブレインスキン１２が、望ましくない断裂を伴うことなしに、少なくとも１つの支持要素２３、２４又は外部フレーム部分１５上において保持されることを保証する。
【００４２】
従って、メンブレインスキン１２は、任意選択により、シーリングメンブレインの形態で備えることができる。この場合には、メンブレインスキン１２は、好適には、プラスチック、特に、エラストマーの弾性的に伸張可能且つ反発性の層の形態で備わる。
【００４３】
図４と関連し、図３において最良に観察することができるように、メンブレイン要素１１上における少なくとも１つのフランジ状の周辺部分２８、具体的には、外部フレーム部分１５の周りに延長するフランジ状の周辺部分２８を備えることが実際的に有利であり、この周辺部分２８は、メンブレイン要素１１に対応するシェル２の開口部１９を備えるべく、周辺部分１８に接合される。従って、断面において観察されるように、支持本体１４又は支持本体１４の少なくとも１つの外部フレーム部分１５、１６は、Ｌ字形の輪郭を断面において具備可能である。
【００４４】
また、それぞれ、図３、図４、及び図７において最良に観察することができるように、メンブレイン要素１１は、既製の構成要素であることが特に有利である。この場合には、既製の構成要素の形態を有するメンブレイン要素１１は、図４、図６、又は図７との関連において図１、図２に示されているように、スポーツシューズ１を製造する過程において、シェル２のプラスチックの特定部分の周りに射出される。これは、シェル２の内側及び／又は外側に前述のタイプのメンブレイン要素１１を具備するスポーツシューズ１を製造する簡単な方法を提供する。このようなメンブレイン要素１１は、好ましくは、中足骨又はつま先の骨の基部の領域内に（図１、図２）、並びに／或いは、くるぶし又はくるぶしの関節の領域内に、配設される。
【００４５】
図１、図２に破線で示された部分１０によって示されているように、対応するメンブレイン要素１１は、スポーツシューズ１の内部への及びこれから外部への足の出し入れを容易にするべく、足の甲の領域内に備えることも可能である。或いは、この代わりに、又はこれとの組合せにおいて、足の更なる骨の突起が同様に存在していることから、シューズ内部の舟状骨の領域内に（図２）、並びに／或いは、踵の領域内に（図１、図２）、柔軟な部分１０を更に同様に備えることも可能である。
【００４６】
伸張及び効果の観点から、別の有利な実施例は、図１〜図３に一例として概略的に示されているように、メンブレイン要素１１が楕円又は卵形の輪郭を具備するというものである。
【００４７】
これらの例示された実施例は、スポーツシューズ１及びメンブレイン要素１１の可能な変形を表すものであり、且つ、本発明は、具体的に示された変形にのみ限定されるものではなく、且つ、この代わりに、個々の変形を異なる組合せにおいて互いに使用することも可能であり、且つ、これらの可能な変形は、開示された技術的教示内容に鑑み、当業者が想起可能であることをこの段階において指摘しておきたい。従って、説明及び図示された変形の個々の詳細を組み合わせることによって得ることができるすべての想起可能な変形が可能であり、且つ、これらは、本発明の範囲内に属する。
【００４８】
また、最後に、スポーツシューズ１及びメンブレイン要素１１を更に明瞭に理解することができるようにするべく、これら及びこれらの構成部品は、ある程度、不正確な縮尺で、且つ／又は、拡大された縮尺で、且つ／又は、縮小された縮尺で図示されていることを指摘しておきたい。
【００４９】
これらの独立した本発明のソリューションの基礎をなす目的については、以上の説明において見出すことが可能である。
【００５０】
特に、図１、図２、図３、図４、図５、図６、及び図７に示されている主題の個々の実施例は、本発明によって提案される独立したソリューションを独自に構成している。目的と本発明によって提案される関連したソリューションについては、これらの図面の詳細な説明において見出すことが可能である。
【符号の説明】
【００５１】
１    スポーツシューズ
２    シェル
３    内部シューズ
４    前足部シェル
５    シューズカフ
６    接続部
７    引張手段
８    バックル
９    ストラップ
１０    部分
１１    メンブレイン要素
１２    メンブレインスキン
１３    厚さ
１４    支持本体
１５    フレーム部分
１６    フレーム部分
１７    伸張襞
１８    周辺部分
１９    開口部
２０    変位距離
２１    クリアランス幅
２２    境界エッジ
２３    支持要素
２４    支持要素
２５    織物
２６    コーティング
２７    平坦な面
２８    フランジ状の周辺部分
【図１】
2011000445.tif 000003
【図２】
2011000445.tif 000004
【図３】
2011000445.tif 000005
【図４】
2011000445.tif 000006
【図５】
2011000445.tif 000007
【図６】
2011000445.tif 000008
【図７】
2011000445.tif 000009